(57)【特許請求の範囲】
【請求項１】
第１のカラー画像出力デバイスにおけるカラー画像信号を、前記第１のカラー画像出力デバイスと色再現範囲が異なる第２のカラー画像出力デバイスに対するカラー画像信号に変換して出力する色変換装置において、
前記第１のカラー画像出力デバイスの色再現範囲及び、前記第２のカラー画像出力デバイスの色再現範囲に基づき定まる変換係数を記憶する変換係数記憶手段と、
第１のカラー画像出力デバイスにおけるカラー画像信号を、明度Ｌ、色相Ｈ、彩度Ｃ、からなるＬＨＣ信号に変換するＬＨＣ変換手段と、
前記ＬＨＣ変換手段によって変換されたＬＨＣ信号の明度Ｌについて、前記変換係数により、第２のカラー画像出力デバイスで出力可能な明度Ｌの範囲になるよう線形変換し、かつ、無彩色軸から高彩度側に向かうにしたがって、前記第１および第２のカラー画像出力デバイスの各等色相ごとの最高彩度に対応する明度が近づくよう明度変換を行い明度Ｌ’を得る明度変換手段と、
前記ＬＨＣ変換手段によって変換されたＬＨＣ信号の彩度Ｃについて、前記明度変換手段によって得た明度Ｌ’と、変換前の明度Ｌとの差分の大きさに応じた補正をし、彩度Ｃ’を得る彩度補正手段と、
前記ＬＨＣ変換手段によって得た色相Ｈと、前記明度変換手段、及び、前記彩度補正手段によって変換した明度Ｌ’、彩度Ｃ’と、からなるＬ’ＨＣ’信号を第２のカラー画像出力デバイスに対するカラー画像信号に変換する色変換手段と、
を備えたことを特徴とする色変換装置。
【発明の詳細な説明】
【０００１】
【発明の属する技術分野】
本発明は、第１のカラー画像出力デバイスにおけるカラー画像情報を、該第１のカラー画像出力デバイスと色再現範囲が異なる第２の画像出力デバイスに対するカラー画像情報に変換して出力する色変換装置に関し、特に、入力カラー画像信号から色再現範囲が制限された出力装置の制御信号に変換する色変換装置に関する。
【０００２】
【従来の技術】
一般に、電子写真やインクジェットプリンタの色再現範囲は、テレビジョンやＣＲＴディスプレイ等の色再現範囲に比べて狭く、従来から、入力カラー画像が有する色再現範囲と出力装置が有する色再現範囲とが異なる場合に対応した各種の色補正方法が提案されている。
【０００３】
例えば、特開平４−４００７２号公報には、均等色空間やＨＶＣ空間（明度、色相、彩度に関する情報からなる色空間）上で、出力先の色再現範囲外であるか否かを判定し、色再現範囲外である場合、明度と色相とが同じである彩度の最大値に修正して出力する色補正方式が記載されている。
【０００４】
また、特開昭６１−２８８６９０号公報には、入力系に対して出力系の色再現範囲が異なる場合、色度図上の白色点を中心として色相を一定として、出力系の色再現範囲外の点を色再現範囲内の点に圧縮写像するカラー画像処理方法が記載されている。
【０００５】
さらに、特開平７−３２７１４１号公報には、まず明度成分について入出力系の再現明度の比に応じて圧縮してから、彩度成分を圧縮して色再現範囲内の色画像データに変換するカラー画像信号処理方法が記載されている。
【０００６】
【発明が解決しようとする課題】
しかしながら、特開平４−４００７２号公報に記載された色補正方式では、まず、均等色空間で色再現範囲が制限された出力装置の制御信号に変換するため、色相や明度を保ちながら彩度を圧縮するが、出力装置によって再現されない場合があり、例えば、高明度の青等の色みがなくなってしまうという問題点があった。
【０００７】
また、特開昭６１−２８８６９０号公報に記載されたカラー画像処理方法のように、明度や彩度を一律に白色点等に向かって圧縮したり、色差最小方向に圧縮する方式では、色再現範囲の大きさが異なる場合、写真等の自然画像では、特定の色に関して、ハイライト部の彩度が高すぎてしまったり、高彩度の潰れが生じたりするという問題点があった。
【０００８】
また、同類の色でも、モニタとハードコピーでは、微妙な色相の違いで色再現範囲が大きく異なっている場合、色相一定で色差最小等で圧縮しても、画像によっては彩度や明度のマッチングが難しいという問題点があった。
【０００９】
さらに、特開平７−３２７１４１号公報に記載された入出力系の再現明度の比に応じて圧縮してから彩度成分を圧縮する方法でも、カラー画像出力デバイス間で各等色相ごとの最高彩度に対応する明度が異なるような、特に色再現範囲の形状に違いがある場合、カラー画像出力デバイス間で色再現範囲の大きさ（彩度）に逆転が生じ、カラー画像出力デバイス間で色再現能力を十分に発揮できない場合があるという問題点があった。
【００１０】
また、彩度の圧縮の方法によっては、やはり、高明度の色の彩度が十分に再現できなかったり、高彩度の潰れが生じてしまう場合があるという問題点もあった。さらに、カラー画像出力デバイス間の明度のダイナミックレンジが大きく異なる場合、色再現範囲内の高明度の色が高い濃度で再現されてしまうという問題点があった。
【００１１】
本発明は上記に鑑みてなされたものであって、カラー画像出力デバイス間の色再現特性が異なっても、色再現範囲外の色再現については、カラー画像出力デバイスの色再現能力を十分に生かし、かつ、色再現範囲内についても感覚的に近い色再現が得られる色変換を実現することができる色変換装置を提供することを目的とする。
【００１２】
【課題を解決するための手段】
上記の目的を達成するために、請求項１の発明に係る色変換装置は、第１のカラー画像出力デバイスにおけるカラー画像情報を、前記第１のカラー画像出力デバイスと色再現範囲が異なる第２の画像出力デバイスに対するカラー画像情報に変換して出力する色変換装置において、無彩色軸から高彩度側に向かうにしたがって、前記第１および第２のカラー画像出力デバイスの各等色相ごとの最高彩度に対応する明度を少なくとも近似させる明度変換をおこなう変換手段を備えたことを特徴とする。
【００１３】
請求項１の発明によれば、明度変換をおこなう場合、無彩色軸から高彩度側に向かうにしたがって、第１および第２のカラー画像出力デバイスの各等色相ごとの最高彩度に対応する明度を少なくとも近似させるようにして、カラー画像出力デバイス間の色再現特性が異なっていても、色再現範囲外の色再現についてはカラー画像出力デバイスの色再現能力を十分に生かし、かつ色再現範囲内についても感覚的に近い色再現を得ることができる。
【００１４】
また、請求項２の発明に係る色変換装置は、請求項１の発明において、前記変換手段が、前記第１および第２ののカラー画像出力デバイスの明度再現範囲を一致させることを特徴とする。
【００１５】
請求項２の発明によれば、第１および第２のカラー画像出力デバイス間の明度再現範囲を一致させるように圧縮しているので、極端な明度差が生じない自然な色再現を得ることができる。
【００１６】
また、請求項３の発明に係る色変換装置は、請求項１または２の発明において、前記変換手段が、さらに、明度変換の変換量に対応させて彩度を変化させることを特徴とする。
【００１７】
請求項３によれば、明度変換の変換量に対応させて彩度を変化させるようにしているので、カラー画像出力デバイス間の色再現特性、特にダイナミックレンジが大きく異なっていても、色再現範囲外の色再現についてはカラー画像出力デバイスの色再現能力を十分に生かし、かつ、色再現範囲内においても感覚的に近い色再現を得ることができる。
【００１８】
また、請求項４の発明に係る色変換装置は、請求項１〜３のにおいて、前記変換手段が、前記第１および第２のカラー画像出力デバイスの各等色相ごとの最高彩度に対応する明度を一致させる明度変換をおこなうことを特徴とする。
【００１９】
請求項４によれば、第１および第２のカラー画像出力デバイスの各等色相ごとの最高彩度に対応する明度を一致させるようにしているので、カラー画像出力デバイス間の色再現特性が異なっても、色再現範囲外の色再現についてはカラー画像出力デバイスの色再現能力を最大限に生かした階調性に優れた色再現ができ、かつ色再現範囲内においても感覚的に近い色再現が得られる。
【００２０】
また、請求項５の発明に係る色変換装置は、請求項１〜４の発明において、前記変換手段が、前記第１のカラー画像出力デバイスの最高彩度に対応する明度の変換量と、無彩色軸から高彩度側に向かうにしたがって明度を変化させる明度の変換量とを、第１および第２の画像出力デバイスの各等色相ごとの最高彩度、前記最高彩度に対応する明度、および色再現範囲の大きさの差の関数として各等色相ごとに変化させて明度変換をおこなうことを特徴とする。
【００２１】
請求項５によれば、第１のカラー画像出力デバイスの最高彩度に対応する明度の変換量と、無彩色軸から高彩度側に向かうにしたがって明度を変化させる明度の変換量とを、第１および第２の画像出力デバイスの各等色相ごとの最高彩度、前記最高彩度に対応する明度、および色再現範囲の大きさの差の関数として各等色相ごとに変化させて明度変換をおこなうようにしているので、カラー画像出力デバイス間の色再現特性が異なっていても、カラー画像出力デバイスの任意の組合せに応じた色再現範囲の好ましい対応付けを含む色変換をすることができる。
【００２２】
請求項６の発明に係る色変換装置は、請求項１〜５の発明において、前記変換手段が、前記第１のカラー画像出力デバイスの最高彩度に対応する明度の変換量と、無彩色軸から高彩度側に向かうにしたがって変化させる明度の変換量とを、色変換モードまたは操作者による設定指示によって各等色相ごとに補正する補正手段をさらに備えたことを特徴とする。
【００２３】
請求項６の発明によれば、補正手段が、第１のカラー画像出力デバイスの最高彩度に対応する明度の変換量と、無彩色軸から高彩度側に向かうにしたがって変化させる明度の変換量とを、色変換モードまたは操作者による設定指示によって各等色相ごとに補正するようにしているので、カラー画像出力デバイス間の色再現特性が異なっても、出力画像の性質や操作者の要求に応じた色再現範囲の好ましい対応付けを含む色変換をすることができる。
【００２４】
請求項７の発明に係る色変換装置明は、請求項６の発明において、前記補正手段が、顕色系の任意の色相面においてカラーマッチングの目標となる第１のカラー画像出力デバイスが再現できる明度方向と彩度方向に２次元配列した色票パッチデータを第１のカラー画像出力デバイスで出力するとともに、前記色票パッチデータに対して少なくとも複数の色変換処理が施された複数の色票パッチデータを第２のカラー画像出力デバイスから出力させる制御手段と、前記第１のカラー画像出力デバイスで出力された第１の色票パッチデータと前記第２のカラー画像出力デバイスで出力された複数の第２の色票パッチデータとをもとに、前記複数の第２の色票パッチデータのうちの１つの第２の色票パッチデータを選択する選択手段と、前記選択手段によって選択された１つの第２の色票パッチデータに対応する明度変換量を設定する設定手段とを備えたことを特徴とする。
【００２５】
請求項７の発明によれば、制御手段が、顕色系の任意の色相面においてカラーマッチングの目標となる第１のカラー画像出力デバイスが再現できる明度方向と彩度方向に２次元配列した色票パッチデータを第１のカラー画像出力デバイスで出力するとともに、前記色票パッチデータに対して少なくとも複数の色変換処理が施された複数の色票パッチデータを第２のカラー画像出力デバイスから出力させ、選択手段が、前記第１のカラー画像出力デバイスで出力された第１の色票パッチデータと前記第２のカラー画像出力デバイスで出力された複数の第２の色票パッチデータとをもとに、前記複数の第２の色票パッチデータのうちの１つの第２の色票パッチデータを選択し、設定手段が、前記選択手段によって選択された１つの第２の色票パッチデータに対応する明度変換量を設定するようにしているので、カラー画像出力デバイス間の色再現特性が異なっても、負荷のかからず簡単に、操作者の詳細な要求に応じた色再現範囲の好ましい対応付けを含む色変換をすることができる。
【００２６】
請求項８の発明に係る色変換装置は、請求項６の発明において、前記補正手段が、顕色系における代表色相面においてカラーマッチングの目標となる第１のカラー画像出力デバイスが再現できる各明度ごとの最高彩度色を明度方向に配列した色票パッチデータを第１のカラー画像出力デバイスで出力するとともに、前記色票パッチデータに対してデフォルトの色変換処理が施された色票パッチデータを第２のカラー画像出力デバイスから出力させる制御手段と、前記第１のカラー画像出力デバイスで出力された第１の色票パッチデータと前記第２のカラー画像出力デバイスで出力された第２の色票パッチデータとをもとに、前記第２の色票パッチデータを構成する各色相ごとに最大彩度の明度位置関係を対応付ける１つの色票パッチ要素を各色相ごとに指示する指示手段と、前記指示手段によって指示された１つの色票パッチ要素に対応する明度変換量を設定する設定手段とを備えたことを特徴とする。
【００２７】
請求項８の発明によれば、制御手段が、顕色系における代表色相面においてカラーマッチングの目標となる第１のカラー画像出力デバイスが再現できる各明度ごとの最高彩度色を明度方向に配列した色票パッチデータを第１のカラー画像出力デバイスで出力するとともに、前記色票パッチデータに対してデフォルトの色変換処理が施された色票パッチデータを第２のカラー画像出力デバイスから出力させ、指示手段が、前記第１のカラー画像出力デバイスで出力された第１の色票パッチデータと前記第２のカラー画像出力デバイスで出力された第２の色票パッチデータとをもとに、前記第２の色票パッチデータを構成する各色相ごとに最大彩度の明度位置関係を対応付ける１つの色票パッチ要素を各色相ごとに指示し、設定手段が、前記指示手段によって指示された１つの色票パッチ要素に対応する明度変換量を設定するようにしているので、カラー画像出力デバイス間の色再現特性が異なっても、特に色彩の知識を持たなくても、操作者の詳細な要求に応じた色再現範囲の好ましい対応付けを含む色変換をすることができる。
【００２８】
【発明の実施の形態】
以下、この発明に係る色変換装置の好適な実施の形態（実施の形態１〜７）について図面を参照して詳細に説明する。
【００２９】
（実施の形態１）
図１は、この発明の実施の形態１による色変換装置の構成を示す図である。図１に示す色変換装置１では、テレビジョンやＣＲＴモニタに表示されたカラー画像情報を入力部２から受けて、電子写真プリンタ等のプリンタ３でカラーハードコピーを出力させるカラー画像情報に変換する。
【００３０】
色変換装置１は、まず、ＲＧＢ／Ｌ* ａ* ｂ* 変換部１１が、入力部２から入力されたカラー画像情報であるＲＧＢ信号を、代表的な均等知覚色空間であるＣＩＥ１９６７（Ｌ* ａ* ｂ* ）空間上のＬ* ａ* ｂ* 信号に変換する。このＲＧＢ信号からＬ* ａ* ｂ* 信号への変換は、入力部２におけるＣＲＴモニタの色温度、色度座標、光電変換特性に応じて次式によって変換される。
【００３１】
すなわち、ＲＧＢ信号は、まず、
Ｘ＝０．４１２４×Ｒ＋０．３５７６×Ｇ＋０．１８０５×Ｂ
Ｙ＝０．２１２６×Ｒ＋０．７１５２×Ｇ＋０．０７２２×Ｂ
Ｚ＝０．０１９３×Ｒ＋０．１１９２×Ｇ＋０．９５０５×Ｂ
によってＸＹＺ座標系に変換され、このＸＹＺ座標系から次式によってＬ* ａ* ｂ* 信号に変換される。
【００３２】
すなわち、
Ｌ* ＝１１６（Ｙ／Ｙ0 ）1/3 −１６，（Ｙ／Ｙ0 ＞０．００８８５６のとき）
ａ* ＝５００［（Ｘ／Ｘ0 ）1/3 −（Ｙ／Ｙ0 ）1/3 ］
ｂ* ＝２００［（Ｙ／Ｙ0 ）1/3 −（Ｚ−Ｚ0 ）1/3 ］
である。
【００３３】
ここで、Ｘ0 ，Ｙ0 ，Ｚ0 は、対象とする物体色と同一照明下の完全散乱面の３刺激値であり、Ｙ0 の値は、普通Ｙ0 ＝１００に標準化される。Ｌ* は明度指数、ａ* ，ｂ* は知覚色度と呼ばれる。なお、Ｙ／Ｙ0 ＜０．００８８５６のときはＬ* ＝９０３．３（Ｙ／Ｙ０）である。
【００３４】
この均等知覚色空間のＬ* ａ* ｂ* 信号に変換されると、このＬ* ａ* ｂ* 信号は、さらに、明度変換部１２によって明度の圧縮変換がおこなわれる。すなわち、プリンタ３の出力用のＬ* ａ* ｂ* 信号としてのＬ* ’ａ* ’ｂ* ’信号に明度圧縮変換される。この明度変換部１２の詳細構成および処理については後述する。
【００３５】
メモリマップ補間部１３は、明度変換部１２が出力したＬ* ’ａ* ’ｂ* ’信号をプリンタ３が用いるＣＭＹ表色系のカラー情報に変換する。このメモリマップ補間部１３は、図２に示すように、ＣＩＥ１９６７（Ｌ* ａ* ｂ* ）空間（以下、「ＣＩＥＬａｂ色空間」という）を同種類の部分色空間、ここでは複数の立方体に等分割し、入力カラー情報Ｐ（Ｌ* ｐ，ａ* ｐ，ｂ* ｐ）を含む１つの立方体を選択し、この選択された立方体の８つの各頂点の座標値とこの各頂点の座標から点Ｐまでの各距離とに基づいて、線形補間をおこなう。
【００３６】
その後、点Ｐの出力値は、それぞれＣＭＹの各値に対応して演算される。なお、補間演算に使用されるＣＩＥＬａｂ色空間上では、実際の入出力関係、すなわちＬａｂ−ＣＭＹの入出力関係が測定され、この測定されたデータを用いて最小２乗法等により算出した（Ｌ* ａ* ｂ* ）値に対する（Ｃ，Ｍ，Ｙ）値が予め設定されており、この設定された関係によって変換される。
【００３７】
墨板生成部１４は、メモリマップ補間部１３が算出したＣＭＹ信号を次式によって、ＣＭＹＫ信号に変換し、プリンタ３に送出する。すなわち、
Ｋ  ＝α×ｍｉｎ（Ｃ，Ｍ，Ｙ）
Ｃ’＝Ｃ−β×Ｋ
Ｍ’＝Ｍ−β×Ｋ
Ｙ’＝Ｙ−β×Ｋ
によって、ＣＭＹ信号は、（Ｃ’，Ｍ’，Ｙ’，Ｋ）値をもつＣＭＹＫ信号に変換されてプリンタ３に出力され、減法混色が実現される。
【００３８】
つぎに、図３を参照して明度変換部１２の詳細構成および動作について説明する。図３において、Ｌ* ａ* ｂ* ／ＬＨＣ変換部２１は、ＲＧＢ／Ｌ* ａ* ｂ* 変換部１１から入力されたＬ* ａ* ｂ* 信号を明度Ｌ、色相Ｈ、彩度Ｃを要素とするＬＨＣ信号に変換する。ここで、ＬＨＣ色空間は、Ｌ* ａ* ｂ* 色空間と同様な知覚色を表示する顕色系であるが、色相Ｈおよび彩度Ｃをも要素とするため、マンセル表色系のように、均等色空間とはならない。このＬ* ａ* ｂ* とＬＨＣとの変換関係は次式にしたがってなされる。
【００３９】
すなわち、
明度Ｌ＝Ｌ* 
彩度Ｃ＝（ａ*2＋ｂ*2）0.5 
色相Ｈ＝ａｔａｎ２（ｂ，ａ）×１８０／π
である。ただし、ａ＝ｂ＝０のときは、Ｈ＝０であり、Ｈ＜０のときは、Ｈ＝３６０＋Ｈである。
【００４０】
その後、Ｌ* ａ* ｂ* ／ＬＨＣ変換部２１によって変換されたＬＨＣ信号の明度Ｌの値は、明度変換処理部２３によって変換される。この明度変換は、つぎの（１）式によって明度Ｌを明度Ｌ’に変換する。
【００４１】
すなわち、
Ｌ’＝Ｌ×α＋Ｃ×β＋γ  （１）
である。ここで、α，β，γは明度変換係数で、明度変換係数記憶部２２に記憶されており、次式で与えられる。
【００４２】
すなわち、
α＝（Ｌｗｐ−Ｌｂｐ）／１００
β＝Ｆ（Ｈ，Ｌ）
γ＝Ｌｂｐ
であり、Ｌｗｐはプリンタの最高明度を示し、Ｌｂｐはプリンタの最低明度を示す。
【００４３】
さらに、Ｆ（Ｈ，Ｌ）は、
Ｌ≧Ｌｈ１ｍのとき、
Ｆ（Ｈ，Ｌ）＝（Ｌｈ１ｐ−Ｌｈ１ｔ）／Ｃｈ１ｍ
Ｌ＜Ｌｈ１ｍのとき、
Ｆ（Ｈ，Ｌ）＝（Ｌｈ１ｔ−Ｌｈ１ｐ）／Ｃｈ１ｍ
である。
【００４４】
ここで、
Ｌｈ１ｐ：色相Ｈ１におけるプリンタ３の最高彩度に対する明度
Ｌｈ１ｔ：色相Ｈ１におけるモニタ２の最高彩度の目標明度
Ｌｈ１ｍ：色相Ｈ１におけるモニタ２の最高彩度
である。
【００４５】
上述した式（１）によって明度変換されたＬＨＣ信号は、ＬＨＣ／Ｌ* ａ* ｂ* 変換部２４によって再びＣＩＥＬａｂ色空間に逆変換され、Ｌ* ’ａ* ’ｂ* ’信号としてメモリマップ補間部１３に出力される。
【００４６】
なお、制御部Ｃ１は、上述したＬ* ａ* ｂ* ／ＬＨＣ変換部２１、明度変換処理部２３、ＬＨＣ／Ｌ* ａ* ｂ* 変換部２４の制御および明度変換係数記憶部２２からの明度変換係数の読出処理を制御する。
【００４７】
ここで、図４から図６を参照して明度変換処理部２３の処理内容について説明する。図４は、ＬＨＣ色空間を示し、明度軸Ｌより右の紙面が色相Ｈ１の平面である。したがって、明度軸Ｌから右に移行するにしたがって彩度Ｃが大きな値をとることになる。基本的に、ＬＨＣ色空間では、上下に突の円錐体状の形状空間となる。
【００４８】
図４に示すように色相Ｈ１でのモニタの色再現範囲ＭＯは明度Ｌｈ１ｍで最高彩度Ｃｈ１ｍまでの値をとることができ、色相Ｈ１での明度は最低明度Ｌｂｍから最高明度Ｌｗｍまでの範囲をとり、最低明度Ｌｂｍと最高明度Ｌｗｍとでは、彩度Ｃの値が零となり、無彩色となる。
【００４９】
同様に、色相Ｈ１でのプリンタの色再現範囲ＰＲは明度Ｌｈ１ｐで最高彩度Ｃｈ１ｐまでの値をとることができ、色相Ｈ１での明度は最低明度Ｌｂｐから最高明度Ｌｗｐまでの範囲をとり、最低明度Ｌｂｐと最高明度Ｌｗｐとでは、彩度Ｃの値が零となり、無彩色となる。
【００５０】
このような関係は、他の色相であっても同様な関係をもち、例えば明度軸Ｌから紙面左の平面に対応して色相Ｈ２での色再現範囲ＰＲ’は、明度Ｌｈ２ｐで最高彩度Ｃｈ２ｐを有する色再現範囲となり、色相ごとに最高彩度に対応する明度が異なる。そして、図４に示すように同一色相Ｈ１では、プリンタの色再現範囲がモニタの色再現範囲ＭＯに比して小さい範囲となっている。
【００５１】
図５（ａ）では、色相Ｈ１でのモニタの色再現範囲の明度を明度一定方向の等間隔線分で分割した様子を示している。ここで、式（１）の第３項であるγは、変換される明度Ｌをまずプリンタの最低明度Ｌｂｐに一律に加算して合わせ、式（１）の第１項であるＬ×αによってモニタの最高明度Ｌｗｍをプリンタの最高明度Ｌｗｐまで合わせて一律に圧縮する。
【００５２】
すなわち、明度レンジが線形に変換される。したがって、例えば、彩度Ｃが０で無彩色軸（明度軸Ｌ）上の色の場合、すなわち式（１）の第２項の影響がない場合、モニタの無彩色はプリンタの無彩色に線形に明度圧縮変換される（図５（ｂ）参照）。
【００５３】
一方、式（１）の第２項であるＣ×βは、色相Ｈ１において、モニタの最高彩度での明度Ｌｈ１ｍをプリンタの最高彩度での明度Ｌｈ１ｐに近づけた目標明度Ｌｈ１ｔに変換する。すなわち、式（１）の第１項および第３項によって、モニタの色再現範囲ＭＯの彩度限界部分（実線上）の色は、図６（ａ）に示す実線ＭＯ１のように明度レンジが線形に圧縮変換され、さらに式（１）の第２項によって、図６（ｂ）に示すような実線ＭＯ２上に明度変換され、モニタの最高彩度における明度は、プリンタの最高彩度の明度に近づく。
【００５４】
同様にして、式（１）の第２項によって、色相Ｈ１におけるモニタの各明度値は、その明度値での彩度Ｃが大きくなるにしたがって、明度値の変化量をプリンタの最高彩度の明度に近い目標明度側に順次大きく変化させるようにしている（図６（ｂ）参照）。このような処理は、各色相ごとに、同様な明度変換が実行される。
【００５５】
このようにして実施の形態１による色変換装置では、無彩色軸（明度軸）から高彩度側に向かうにしたがい、双方の画像出力デバイスの各等色相ごとの最高彩度（飽和色）に対する明度が近づくような明度変換を実施している。
【００５６】
なお、明度変換係数記憶部２２は、モニタ２とプリンタ３とに対する明度変換係数α、β、γのみでなく、その他の入出力装置の組合せに対する明度変換係数を記憶し、色変換装置１に接続された入出力装置に対応した明度変換係数を用いるようにできる。
【００５７】
また、上述した実施の形態１による色変換装置では、明度変換処理部２３によって各等色相ごとに明度変換をするようにしているが、各等色相ごとに処理するのではなく、３次元メモリマップ補間によって直接、明度変換をおこなうようにしてもよい。
【００５８】
（実施の形態２）
つぎに、図７を参照して実施の形態２による色変換装置について説明する。実施の形態２による色変換装置では、実施の形態１による色変換装置の図１に示す明度変換部１２の構成が異なるのみでその他の構成は実施の形態１による色変換装置と同様であり、同様の部分についてはその説明を省略する。
【００５９】
図７に示す明度変換部１２のＬ* ａ* ｂ* ／ＬＨＣ変換部３１は、ＲＧＢ／Ｌ* ａ* ｂ* 変換部１１から入力されたＬ* ａ* ｂ* 信号を明度Ｌ、色相Ｈ、彩度Ｃを要素とするＬＨＣ信号に変換する。明度変換係数記憶部３２は、入力部２とプリンタ３との組合せのようなカラー画像入出力デバイスごとの組合せに対する明度変換係数α，β，γを予め記憶している。
【００６０】
明度変換処理部３３は、明度変換係数記憶部３２に記憶された明度変換係数α，β，γを用いて式（１）を適用し、ＬＨＣ色空間における明度変換処理をおこなう。彩度補正係数記憶部３４は、入力情報の色相に応じた彩度補正係数αｈを記憶する。
【００６１】
彩度補正部３５は、彩度補正係数αｈを用いたつぎの（２）式によって彩度補正をおこなう。すなわち、
Ｃ’＝Ｃ＋αｈ×（Ｌ’−Ｌ）  （２）
によって、彩度Ｃを彩度Ｃ’に補正する。
【００６２】
これは、第１の実施の形態でおこなわれた明度変換後の情報に対して、明度変換される前の明度Ｌと明度変換された後の明度Ｌ’との差分の大きさに応じて彩度をさらに補正するものである。
【００６３】
その後、式（２）によって彩度補正されたＬＨＣ信号は、ＬＨＣ／Ｌ* ａ* ｂ* 変換部２４によって再びＣＩＥＬａｂ色空間に逆変換され、Ｌ* ’ａ* ’ｂ* ’信号としてメモリマップ補間部１３に出力される。
【００６４】
なお、制御部Ｃ２は、上述したＬ* ａ* ｂ* ／ＬＨＣ変換部３１、明度変換処理部３３、彩度補正部３５、ＬＨＣ／Ｌ* ａ* ｂ* 変換部３６の制御、および明度変換係数記憶部３２からの明度変換係数および彩度補正係数記憶部３４からの彩度補正係数の読出処理を制御する。
【００６５】
なお、上述した実施の形態２による色変換装置では、明度変換処理部３３によって各等色相ごとに明度変換をおこない、彩度補正部３５によって彩度補正をおこなうようにしているが、明度変換および彩度補正を３次元メモリマップ補間によって直接、算出するようにしてもよい。
【００６６】
（実施の形態３）
つぎに、図８および図９を参照して実施の形態による色変換装置について説明する。図８は、実施の形態３による色変換装置における明度変換部の構成を示したものである。実施の形態３は、この明度変換部１２の構成が実施の形態１による色変換装置と異なるのみで他の構成は同一である。したがって、同一の構成についての説明は省略する。
【００６７】
図８において、Ｌ* ａ* ｂ* ／ＬＨＣ変換部４１は、ＲＧＢ／Ｌ* ａ* ｂ* 変換部１１から入力されたＬ* ａ* ｂ* 信号を明度Ｌ、色相Ｈ、彩度Ｃを要素とするＬＨＣ信号に変換する。
【００６８】
飽和色明度記憶部４２には、各種画像出力デバイスごとの各色相ごとの最高彩度（飽和色）に対する明度を記憶している。もちろん、他の入力部等の各種入力画像デバイスと各種画像出力デバイスとの組合せごとに記憶していてもよい。
【００６９】
明度変換係数決定部４３は、各種入力画像デバイスと各種画像出力デバイスとの組合せが決定されると、飽和色明度記憶部４２に記憶された飽和色明度を参照して明度変換係数α、β、γを次式によって決定する。
【００７０】
すなわち、
α＝（Ｌｗｐ−Ｌｂｐ）／１００
β＝Ｆ（Ｈ，Ｌ）
γ＝Ｌｂｐ
であり、上述したように、Ｌｗｐはプリンタの最高明度を示し、Ｌｂｐはプリンタの最低明度を示す。
【００７１】
さらに、Ｆ（Ｈ，Ｌ）は、
Ｌ≧Ｌｈ１ｍのとき、
Ｆ（Ｈ，Ｌ）＝（Ｌｈ１ｐ−Ｌｈ１ｍ）／Ｃｈ１ｍ
Ｌ＜Ｌｈ１ｍのとき、
Ｆ（Ｈ，Ｌ）＝（Ｌｈ１ｍ−Ｌｈ１ｐ）／Ｃｈ１ｍ
である。
【００７２】
ここで、
Ｌｈ１ｐ：色相Ｈ１におけるプリンタ３の最高彩度に対する明度
Ｌｈ１ｍ：色相Ｈ１におけるモニタ２の最高彩度に対する明度
Ｃｈ１ｍ：色相Ｈ１におけるモニタ２の最高彩度
である。
【００７３】
明度変換処理部４４は、明度変換係数決定部４３によって決定された組合せに対応する明度変換係数α、β、γを取り出し、Ｌ* ａ* ｂ* ／ＬＨＣ変換部４１によって変換されたＬＨＣ信号の明度Ｌの値を式（１）によって明度Ｌ’に変換する。
【００７４】
その後、明度変換されたＬＨＣ信号は、ＬＨＣ／Ｌ* ａ* ｂ* 変換部４５によって再びＣＩＥＬａｂ色空間に逆変換され、Ｌ* ’ａ* ’ｂ* ’信号としてメモリマップ補間部１３に出力される。
【００７５】
なお、制御部Ｃ３は、上述したＬ* ａ* ｂ* ／ＬＨＣ変換部４１，明度変換係数決定部４２、明度変換処理部４４、ＬＨＣ／Ｌ* ａ* ｂ* 変換部４５の制御および飽和色明度記憶部４２からの飽和色明度の読出処理を制御する。
【００７６】
この結果、第３の実施の形態では、無彩色軸（明度軸）から高彩度側に向かうにしたがい、双方の画像出力デバイスの各等色相ごとの最高彩度（飽和色）に対する明度が近づくような明度変換が実施され、特にモニタが色再現できる各色相ごとの最高彩度の色は、プリンタが色再現できる各色相ごとの飽和色（最高彩度）の明度に変換される（図９（ｂ）参照）。
【００７７】
なお、上述した実施の形態３による色変換装置では、明度変換処理部４４によって各等色相ごとに明度変換をするようにしているが、各等色相ごとに処理するのではなく、３次元メモリマップ補間によって直接、明度変換をおこなうようにしてもよい。
【００７８】
（実施の形態４）
つぎに、図１０を参照して実施の形態４による色変換装置について説明する。図１０は、実施の形態４による色変換装置における明度変換部の構成を示したものである。実施の形態４による色変換装置では、この明度変換部１２の構成が実施の形態１と異なるのみで他の構成は同一である。したがって、同一の構成についてはその説明を省略する。
【００７９】
図１０において、Ｌ* ａ* ｂ* ／ＬＨＣ変換部５１は、ＲＧＢ／Ｌ* ａ* ｂ* 変換部１１から入力されたＬ* ａ* ｂ* 信号を明度Ｌ、色相Ｈ、彩度Ｃを要素とするＬＨＣ信号に変換する。
【００８０】
色再現範囲データ記憶部５２は、各種画像出力デバイスごとの各色相ごとに、各明度ごとの最高彩度、各等色相ごとの最高彩度（飽和色）に対応する明度、および目標明度設定に用いる明度補正係数βｈを記憶している。もちろん、他の入力部等の各種入力画像デバイスと各種画像出力デバイスとの組合せごとに記憶していてもよい。
【００８１】
明度変換係数決定部５３は、各種入力画像デバイスと各種画像出力デバイスとの組合せが決定されると、色再現範囲データ記憶部５２に記憶されたデータを参照してを参照して明度変換係数α、β、γを次式によって決定する。
【００８２】
すなわち、
α＝（Ｌｗｐ−Ｌｂｐ）／１００
β＝Ｆ（Ｈ，Ｌ）
γ＝Ｌｂｐ
であり、上述したように、Ｌｗｐはプリンタの最高明度を示し、Ｌｂｐはプリンタの最低明度を示す。
【００８３】
さらに、Ｆ（Ｈ，Ｌ）は、
Ｌ≧Ｌｈ１ｍのとき、
Ｆ（Ｈ，Ｌ）＝（Ｌｈ１ｐ−Ｌｈ１ｔ）／Ｃｈ１ｍ
Ｌ＜Ｌｈ１ｍのとき、
Ｆ（Ｈ，Ｌ）＝（Ｌｈ１ｔ−Ｌｈ１ｐ）／Ｃｈ１ｍ
である。ただし、
Ｌｈ１ｔ＝Ｌｈ１ｐ＋βH ×（Ｌｈ１ｍ−Ｌｈ１ｐ）×（Ｃｈ１ｐ／Ｃｈ１ｍ）
【００８４】
ここで、
Ｌｈ１ｐ：色相Ｈ１におけるプリンタ３の最高彩度に対する明度
Ｌｈ１ｍ：色相Ｈ１におけるモニタ２の最高彩度に対する明度
Ｌｈ１ｔ：色相Ｈ１におけるモニタ２の最高彩度の目標明度
Ｃｈ１ｍ：色相Ｈ１におけるモニタ２の最高彩度
Ｃｈ１ｐ：色相Ｈ１におけるプリンタ３の最高彩度
βH ：色相Ｈ１における明度補正係数
である。
【００８５】
明度変換処理部５４は、明度変換係数決定部５３によって決定された組合せに対応する明度変換係数α、β、γを取り出し、Ｌ* ａ* ｂ* ／ＬＨＣ変換部５１によって変換されたＬＨＣ信号の明度Ｌの値を式（１）によって明度Ｌ’に変換する。
【００８６】
その後、明度変換されたＬＨＣ信号は、ＬＨＣ／Ｌ* ａ* ｂ* 変換部５５によって再びＣＩＥＬａｂ色空間に逆変換され、Ｌ* ’ａ* ’ｂ* ’信号としてメモリマップ補間部１３に出力される。
【００８７】
なお、制御部Ｃ４は、上述したＬ* ａ* ｂ* ／ＬＨＣ変換部５１，明度変換係数決定部５２、明度変換処理部５４、ＬＨＣ／Ｌ* ａ* ｂ* 変換部５５の制御および色再現範囲データ記憶部５２の色再現範囲データの読出処理を制御する。
【００８８】
この結果、実施の形態４による色変換装置では、無彩色軸（明度軸）から高彩度側に向かうにしたがい、双方の画像出力デバイスの各等色相ごとの最高彩度（飽和色）に対する明度が近づくような明度変換が実施される。
【００８９】
なお、上述した実施の形態４による色変換装置では、明度変換処理部５４によって各等色相ごとに明度変換をするようにしているが、各等色相ごとに処理するのではなく、３次元メモリマップ補間によって直接、明度変換をおこなうようにしてもよい。
【００９０】
（実施の形態５）
つぎに、図１１を参照して実施の形態５について説明する。図１１は、実施の形態４による色変換装置における明度変換部の構成を示したものである。実施の形態による色変換装置では、この明度変換部１２の構成が実施の形態１による色変換装置と異なるのみで他の構成は同一である。したがって、同一の構成についてはその説明を省略する。
【００９１】
図１１において、Ｌ* ａ* ｂ* ／ＬＨＣ変換部６１は、ＲＧＢ／Ｌ* ａ* ｂ* 変換部１１から入力されたＬ* ａ* ｂ* 信号を明度Ｌ、色相Ｈ、彩度Ｃを要素とするＬＨＣ信号に変換する。
【００９２】
明度変換係数記憶部６２は、各種画像入出力デバイスの組合せとグラフィックモードや自然画像モード等の色変換モードと明度Ｌと色相Ｈと彩度Ｃとの情報に応じた明度変換係数を記憶している。
【００９３】
明度変換係数補正部６３は、各色相ごとの明度変換係数をもとに、操作者の設定に応じて明度変換係数を補正する。この補正は、次式によって決定する。
【００９４】
すなわち、
α＝（Ｌｗｐ−Ｌｂｐ）／１００
β＝Ｆ（Ｈ，Ｌ）
γ＝Ｌｂｐ
であり、上述したように、Ｌｗｐはプリンタの最高明度を示し、Ｌｂｐはプリンタの最低明度を示す。
【００９５】
さらに、Ｆ（Ｈ，Ｌ）は、
Ｌ≧Ｌｈ１ｍのとき、
Ｆ（Ｈ，Ｌ）＝（Ｌｈ１ｐ−Ｌｈ１ｔ−ΔＬｈ１ｆ）／Ｃｈ１ｍ
Ｌ＜Ｌｈ１ｍのとき、
Ｆ（Ｈ，Ｌ）＝（Ｌｈ１ｔ＋ΔＬｈ１ｈ−Ｌｈ１ｐ）／Ｃｈ１ｍ
である。
【００９６】
ここで、色変換モードがグラフィックモードの場合は、
Ｌｈ１ｔ＝Ｌｈ１ｍ
とし、一方、色変換モードが自然画像モードの場合は、
Ｌｈ１ｔ＝Ｌｈ１ｐ＋γH ×（Ｌｈ１ｍ−Ｌｈ１ｐ）
とする。
【００９７】
ここで、
Ｌｈ１ｐ：色相Ｈ１におけるプリンタ３の最高彩度に対する明度
Ｌｈ１ｍ：色相Ｈ１におけるモニタ２の最高彩度に対する明度
Ｌｈ１ｔ：色相Ｈ１におけるモニタ２の最高彩度の目標明度
Ｃｈ１ｍ：色相Ｈ１におけるモニタ２の最高彩度
ΔＬｈ１ｆ：色相Ｈ１における明度補正値
γH ：色相Ｈ１における自然画像モード用明度補正係数
である。なお、色相Ｈ１における明度補正値ΔＬｈ１ｆを含む各色相ごとの明度補正値は操作者によって設定される。
【００９８】
明度変換処理部６４は、明度変換係数補正部６３によって補正された明度変換係数α、β、γをもとに、Ｌ* ａ* ｂ* ／ＬＨＣ変換部６１によって変換されたＬＨＣ信号の明度Ｌの値を式（１）によって明度Ｌ’に変換する。
【００９９】
その後、明度変換されたＬＨＣ信号は、ＬＨＣ／Ｌ* ａ* ｂ* 変換部６５によって再びＣＩＥＬａｂ色空間に逆変換され、Ｌ* ’ａ* ’ｂ* ’信号としてメモリマップ補間部１３に出力される。
【０１００】
なお、制御部Ｃ５は、上述したＬ* ａ* ｂ* ／ＬＨＣ変換部６１、明度変換係数補正部６３、明度変換処理部６４、ＬＨＣ／Ｌ* ａ* ｂ* 変換部６５の制御および明度変換係数記憶部６２のデータの読出処理を制御する。
【０１０１】
この結果、実施の形態５による色変換装置では、無彩色軸（明度軸）から高彩度側に向かうにしたがい、双方の画像出力デバイスの各等色相ごとの最高彩度（飽和色）に対する明度が近づくような明度変換が色変換モード等によって適切かつ柔軟に実施される。
【０１０２】
なお、上述した実施の形態５による色変換装置では、明度変換処理部６４によって各等色相ごとに明度変換をするようにしているが、各等色相ごとに処理するのではなく、３次元メモリマップ補間によって直接、明度変換をおこなうようにしてもよい。
【０１０３】
（実施の形態６）
つぎに、図１２を参照して実施の形態６による色変換装置について説明する。図１２は、実施の形態６による色変換装置における明度変換部の構成を示したものである。実施の形態６による色変換装置では、この明度変換部１２の構成が実施の形態１による色変換装置と異なるのみで他の構成は同一である。したがって、同一の構成については、その説明を省略する。
【０１０４】
図１２において、Ｌ* ａ* ｂ* ／ＬＨＣ変換部７１は、ＲＧＢ／Ｌ* ａ* ｂ* 変換部１１から入力されたＬ* ａ* ｂ* 信号を明度Ｌ、色相Ｈ、彩度Ｃを要素とするＬＨＣ信号に変換する。
【０１０５】
色票パッチデータ記憶部７２は、任意の色相面において、カラーマッチングの目標となるカラー画像出力デバイス、ここではモニタ２が再現できる明度方向と彩度方向に２次元配列された色票パッチデータを記憶する。
【０１０６】
明度変換係数記憶部７３は、各種画像入出力デバイスの組合せと明度Ｌと色相Ｈと彩度Ｃとの情報に応じた明度変換係数を各組合せに対して２種以上記憶している。
【０１０７】
明度変換係数選択部７４は、複数の色票パッチデータのプリンタ３からの出力結果をもとに、２種以上の明度変換係数の中から操作者が選択した１つの色票パッチデータに対応した明度変換係数α、β、γを設定する。
【０１０８】
明度変換処理部７５は、この選択された明度変換係数α、β、γをもとに、Ｌ* ａ* ｂ* ／ＬＨＣ変換部７１によって変換されたＬＨＣ信号の明度Ｌの値を式（１）によって明度Ｌ’に変換する。
【０１０９】
その後、明度変換されたＬＨＣ信号は、ＬＨＣ／Ｌ* ａ* ｂ* 変換部７６によって再びＣＩＥＬａｂ色空間に逆変換され、Ｌ* ’ａ* ’ｂ* ’信号としてメモリマップ補間部１３に出力される。
【０１１０】
なお、制御部Ｃ６は、上述したＬ* ａ* ｂ* ／ＬＨＣ変換部７１，明度変換係数選択部７４、明度変換処理部７５、ＬＨＣ／Ｌ* ａ* ｂ* 変換部７６の制御および色票パッチデータ記憶部７２と明度変換係数記憶部７３のデータの読出処理を制御する。
【０１１１】
ここで、明度変換係数の選択に至るまでの処理について説明すると、まず、図１３は、色票パッチデータ記憶部７２に記憶される色票パッチデータの一例を示す図である。図１３に示すように、選択されたモニタが再現できる基本６色相、すなわち、Ｒ，Ｇ，Ｂ，Ｃ，Ｍ，Ｙの明度方向と彩度方向に２次元配列されたものであり、この場合、基本６色相分の６枚がある。これらの色票パッチデータは、モニタによっても表示出力される。
【０１１２】
一方、これらの色票パッチデータは、明度変換係数記憶部７３に記憶された複数の明度変換係数によってそれぞれ明度変換され、この明度変換された色票パッチデータはプリンタ３から出力される。すなわち、モニタ画面上に表示された色票パッチデータが明度変換されてハードコピーされる。
【０１１３】
このため、２種の明度変換係数によって明度変換された場合には、モニタに表示される色票パッチデータに対して、２枚の色票パッチデータがハードコピーされることになる。このハードコピーがおこなわれる場合、プリントアウトされた色票パッチデータにはそれぞれ、明度変換係数に対応した番号も同時に出力される。
【０１１４】
操作者は、モニタに表示された色票パッチデータとプリントアウトされた複数の色票パッチデータとを見比べ、最適な色再現、すなわち最適な階調表現がされているハードコピーの色票パッチデータを選び、この選んだハードコピー上に付された番号等を明度変換係数選択部７４に入力し、明度変換係数選択部７４は、入力された番号に対応する明度変換係数を明度変換処理部７５に通知してこの明度変換係数を用いた明度変換処理を実行させる。
【０１１５】
この実施の形態５による色変換装置では、モニタ上に表示された色票パッチデータと、この色票パッチデータに複数の明度変換係数を適用して明度変換されたハードコピーの複数の色票パッチデータとを見比べて、適切な階調表現がされる明度変換係数を選択することができ、実際にプリンタ３から出力すべきカラー画像情報の色変換に対して適切な明度変換係数を柔軟かつ簡単に選択し適用することができる。
【０１１６】
（実施の形態７）
つぎに、図１４を参照して実施の形態７による色変換装置について説明する。図１４は、実施の形態７による色変換装置における明度変換部の構成を示したものである。実施の形態７による色変換装置では、この明度変換部１２の構成が実施の形態１による色変換装置と異なるのみで他の構成は同一である。したがって、同一の構成については、その説明を省略する。
【０１１７】
図１４において、Ｌ* ａ* ｂ* ／ＬＨＣ変換部８１は、ＲＧＢ／Ｌ* ａ* ｂ* 変換部１１から入力されたＬ* ａ* ｂ* 信号を明度Ｌ、色相Ｈ、彩度Ｃを要素とするＬＨＣ信号に変換する。
【０１１８】
色票パッチデータ記憶部８２は、代表色相面、例えば基本６色相に対して、カラーマッチングの目標となるカラー画像出力デバイス、ここではモニタ２が再現できる各明度ごとの最高彩度色を明度方向に配列した色票パッチデータを記憶する。
【０１１９】
明度変換係数記憶部８３は、各種画像入出力デバイスの組合せと明度Ｌと色相Ｈと彩度Ｃとの情報に応じた明度変換係数を記憶している。
【０１２０】
明度変換係数補正部８４は、明度変換係数記憶部８３に記憶された各色相ごとの明度変換係数をもとに、操作者が指定した色票パッチデータの対応づけに応じて明度変換係数を補正する。
【０１２１】
明度変換処理部８５は、この補正された明度変換係数α、β、γをもとに、Ｌ* ａ* ｂ* ／ＬＨＣ変換部８１によって変換されたＬＨＣ信号の明度Ｌの値を式（１）によって明度Ｌ’に変換する。
【０１２２】
その後、明度変換されたＬＨＣ信号は、ＬＨＣ／Ｌ* ａ* ｂ* 変換部８６によって再びＣＩＥＬａｂ色空間に逆変換され、Ｌ* ’ａ* ’ｂ* ’信号としてメモリマップ補間部１３に出力される。
【０１２３】
なお、制御部Ｃ７は、上述したＬ* ａ* ｂ* ／ＬＨＣ変換部８１，明度変換係数補正部８４、明度変換処理部８５、ＬＨＣ／Ｌ* ａ* ｂ* 変換部８６の制御および色票パッチデータ記憶部８２と明度変換係数記憶部８３のデータの読出処理を制御する。
【０１２４】
ここで、明度変換係数の補正に至るまでの処理について説明すると、まず、図１５は、色票パッチデータ記憶部７２に記憶される色票パッチデータの一例を示す図であり、この色票パッチデータは、図１５（ａ）に示すように、モニタ画面上に表示される。この色票パッチデータは、モニタが再現できる基本６色相、すなわち、Ｒ，Ｇ，Ｂ，Ｃ，Ｍ，Ｙの最高彩度を明度方向に配列したものである。
【０１２５】
図１５（ｂ）は、この色票パッチデータに対して、明度変換係数記憶部８３に記憶されたデフォルトの明度変換係数によって明度変換処理が施されたハードコピーであり、プリンタ３から出力される。操作者は、モニタが表示している色票パッチデータと、デフォルトの明度変換係数によって処理されたハードコピーの色票パッチデータとを見比べて、各色相ごとに、例えば、モニタの最高彩度の色票パッチに対応したハードコピーの１つの色票パッチを選択し、その１つの色票パッチの配列上の色票番号を色相ごとに明度変換係数補正部８４に設定する。
【０１２６】
この設定された色相ごとの色票番号に対応する明度が例えば、色相Ｈ１に対する目標明度Ｌｈ１ｏｐとなる。なお、目標明度Ｌｈ１ｏｐを設定せず、デフォルトの明度変換係数としてもよく、複数の色相のうちの一部分の色相に対する設定であってもよい。
【０１２７】
この目標明度Ｌｈ１ｏｐが設定されると、明度変換係数補正部８４は、各色相ごとの明度変換係数をもとに、操作者の設定に応じて明度変換係数を補正する。この補正は、次式によっておこなわれる。
【０１２８】
すなわち、
α＝（Ｌｗｐ−Ｌｂｐ）／１００
β＝Ｆ（Ｈ，Ｌ）
γ＝Ｌｂｐ
であり、上述したように、Ｌｗｐはプリンタの最高明度を示し、Ｌｂｐはプリンタの最低明度を示す。
【０１２９】
さらに、Ｆ（Ｈ，Ｌ）は、
Ｌ≧Ｌｈ１ｍのとき、
Ｆ（Ｈ，Ｌ）＝（Ｌｈ１ｐ−Ｌｈ１ｏｐ）／Ｃｈ１ｍ
Ｌ＜Ｌｈ１ｍのとき、
Ｆ（Ｈ，Ｌ）＝（Ｌｈ１ｏｐ−Ｌｈ１ｐ）／Ｃｈ１ｍ
である。
【０１３０】
ここで、
Ｌｈ１ｐ：色相Ｈ１におけるプリンタ３の最高彩度に対する明度
Ｌｈ１ｍ：色相Ｈ１におけるモニタ２の最高彩度に対する明度
Ｌｈ１ｏｐ：色相Ｈ１におけるモニタ２の最高彩度の目標明度（操作者設定）
Ｃｈ１ｍ：色相Ｈ１におけるモニタ２の最高彩度
である。
【０１３１】
その後、明度変換処理部８６は、明度変換係数補正部８３によって補正された明度変換係数α、β、γをもとに、Ｌ* ａ* ｂ* ／ＬＨＣ変換部８１によって変換されたＬＨＣ信号の明度Ｌの値を式（１）によって明度Ｌ’に変換する。
【０１３２】
この実施の形態７による色変換装置では、モニタ上に表示された色票パッチデータと、この色票パッチデータにデフォルトの明度変換係数を適用して明度変換されたハードコピーの色票パッチデータとを見比べて、色相ごとにハードコピー上の１つの色票パッチを目標明度として設定して明度変換係数を補正するようにしているので、操作者の要求を応じた色再現範囲の好ましい対応付けをもつ色変換をおこなうことができる。
【０１３３】
【発明の効果】
以上説明したように、請求項１の発明によれば、明度変換をおこなう場合、無彩色軸から高彩度側に向かうにしたがって、第１および第２のカラー画像出力デバイスの各等色相ごとの最高彩度に対応する明度を少なくとも近似させるようにして、カラー画像出力デバイス間の色再現特性が異なっていても、色再現範囲外の色再現についてはカラー画像出力デバイスの色再現能力を十分に生かし、かつ色再現範囲内についても感覚的に近い色再現を得ることが可能な色変換装置が得られるという効果を有する。
【０１３４】
また、請求項２の発明によれば、第１および第２のカラー画像出力デバイス間の明度再現範囲を一致させるように圧縮しているので、極端な明度差が生じない自然な色再現を得ることが可能な色変換装置を得ることが可能な色変換装置が得られるという効果を有する。
【０１３５】
また、請求項３の発明によれば、明度変換の変換量に対応させて彩度を変化させるようにしているので、カラー画像出力デバイス間の色再現特性、特にダイナミックレンジが大きく異なっていても、色再現範囲外の色再現についてはカラー画像出力デバイスの色再現能力を十分に生かし、かつ、色再現範囲内においても感覚的に近い色再現を得ることが可能な色変換装置が得られるという効果を有する。
【０１３６】
また、請求項４の発明によれば、第１および第２のカラー画像出力デバイスの各等色相ごとの最高彩度に対応する明度を一致させるようにしているので、カラー画像出力デバイス間の色再現特性が異なっても、色再現範囲外の色再現についてはカラー画像出力デバイスの色再現能力を最大限に生かした階調性に優れた色再現ができ、かつ色再現範囲内においても感覚的に近い色再現を得ることが可能な色変換装置が得られるという効果を有する。
【０１３７】
また、請求項５の発明によれば、第１のカラー画像出力デバイスの最高彩度に対応する明度の変換量と、無彩色軸から高彩度側に向かうにしたがって明度を変化させる明度の変換量とを、第１および第２の画像出力デバイスの各等色相ごとの最高彩度、前記最高彩度に対応する明度、および色再現範囲の大きさの差の関数として各等色相ごとに変化させて明度変換をおこなうようにしているので、カラー画像出力デバイス間の色再現特性が異なっていても、カラー画像出力デバイスの任意の組合せに応じた色再現範囲の好ましい対応付けを含む色変換をすることが可能な色変換装置が得られるという効果を有する。
【０１３８】
また、請求項６の発明によれば、補正手段が、第１のカラー画像出力デバイスの最高彩度に対応する明度の変換量と、無彩色軸から高彩度側に向かうにしたがって変化させる明度の変換量とを、色変換モードまたは操作者による設定指示によって各等色相ごとに補正するようにしているので、カラー画像出力デバイス間の色再現特性が異なっても、出力画像の性質や操作者の要求に応じた色再現範囲の好ましい対応付けを含む色変換をすることが可能な色変換装置が得られるという効果を有する。
【０１３９】
また、請求項７の発明によれば、制御手段が、顕色系の任意の色相面においてカラーマッチングの目標となる第１のカラー画像出力デバイスが再現できる明度方向と彩度方向に２次元配列した色票パッチデータを第１のカラー画像出力デバイスで出力するとともに、前記色票パッチデータに対して少なくとも複数の色変換処理が施された複数の色票パッチデータを第２のカラー画像出力デバイスから出力させ、選択手段が、前記第１のカラー画像出力デバイスで出力された第１の色票パッチデータと前記第２のカラー画像出力デバイスで出力された複数の第２の色票パッチデータとをもとに、前記複数の第２の色票パッチデータのうちの１つの第２の色票パッチデータを選択し、設定手段が、前記選択手段によって選択された１つの第２の色票パッチデータに対応する明度変換量を設定するようにしているので、カラー画像出力デバイス間の色再現特性が異なっても、負荷のかからず簡単に、操作者の詳細な要求に応じた色再現範囲の好ましい対応付けを含む色変換することが可能な色変換装置が得られるという効果を有する。
【０１４０】
また、請求項８の発明によれば、制御手段が、顕色系における代表色相面においてカラーマッチングの目標となる第１のカラー画像出力デバイスが再現できる各明度ごとの最高彩度色を明度方向に配列した色票パッチデータを第１のカラー画像出力デバイスで出力するとともに、前記色票パッチデータに対してデフォルトの色変換処理が施された色票パッチデータを第２のカラー画像出力デバイスから出力させ、指示手段が、前記第１のカラー画像出力デバイスで出力された第１の色票パッチデータと前記第２のカラー画像出力デバイスで出力された第２の色票パッチデータとをもとに、前記第２の色票パッチデータを構成する各色相ごとに最大彩度の明度位置関係を対応付ける１つの色票パッチ要素を各色相ごとに指示し、設定手段が、前記指示手段によって指示された１つの色票パッチ要素に対応する明度変換量を設定するようにしているので、カラー画像出力デバイス間の色再現特性が異なっても、特に色彩の知識を持たなくても、操作者の詳細な要求に応じた色再現範囲の好ましい対応付けを含む色変換することが可能な色変換装置が得られるという効果を有する。
【図面の簡単な説明】
【図１】この発明の実施の形態１による色変換装置の構成を示すブロック図である。
【図２】実施の形態１による色変換装置のメモリマップ補間部によるＣＩＥＬ* ａ* ｂ* 色空間とＣＭＹ色空間との補間演算関係を示す説明図である。
【図３】実施の形態１による色変換装置における明度変換部の構成を示すブロック図である。
【図４】実施の形態１による色変換装置のＬＨＣ色空間におけるモニタとプリンタの色再現範囲を示す説明図である。
【図５】実施の形態１による色変換装置のＬＨＣ色空間における明度圧縮処理の説明図である。
【図６】実施の形態１による色変換装置のＬＨＣ色空間におけるモニタとプリンタの双方の最高彩度の明度を近づけた明度変換処理の説明図である。
【図７】この発明の実施の形態２による色変換装置における明度変換部の構成を示すブロック図である。
【図８】この発明の実施の形態３による色変換装置における明度変換部の構成を示すブロック図である。
【図９】実施の形態３による色変換装置のＬＨＣ色空間におけるモニタとプリンタの双方の最高彩度の明度を一致させる明度変換処理の説明図である。
【図１０】この発明の実施の形態４による色変換装置における明度変換部の構成を示すブロック図である。
【図１１】この発明の実施の形態５による色変換装置における明度変換部の構成を示すブロック図である。
【図１２】この発明の実施の形態６による色変換装置における明度変換部の構成を示すブロック図である。
【図１３】実施の形態６による色変換装置において用いる色パッチデータの一例を示す説明図である。
【図１４】この発明の実施の形態７による色変換装置における明度変換部の構成を示すブロック図である。
【図１５】実施の形態７による色変換装置において用いる色パッチデータの一例を示す説明図である。
【符号の説明】
１  色変換装置
２  入力部（モニタ）
３  プリンタ
１１  ＲＧＢ／Ｌ* ａ* ｂ* 変換部
１２  明度変換部
１３  メモリマップ補間部
１４  墨板生成部
２１，３１，４１，５１，６１，７１，８１  Ｌ* ａ* ｂ* ／ＬＨＣ変換部
２２，３２，６２，７３，８３  明度変換係数記憶部
２３，３３，４４，５４，６４，７５，８５  明度変換処理部２３
２４，３６，４５，５５，６５，７６，８６  ＬＨＣ／Ｌ* ａ* ｂ* 変換部
３４  彩度補正係数記憶部
３５  彩度補正部
４２  飽和色明度記憶部
４３，５３  明度変換係数決定部
５２  色再現範囲データ記憶部
６３，８４  明度変換係数補正部
７２，８２  色票パッチデータ記憶部
７４  明度変換係数選択部
Ｃ１〜Ｃ７  制御部
【図１】
0003987215.tif 000002
【図２】
0003987215.tif 000003
【図３】
0003987215.tif 000004
【図４】
0003987215.tif 000005
【図５】
0003987215.tif 000006
【図６】
0003987215.tif 000007
【図７】
0003987215.tif 000008
【図８】
0003987215.tif 000009
【図９】
0003987215.tif 000010
【図１０】
0003987215.tif 000011
【図１１】
0003987215.tif 000012
【図１２】
0003987215.tif 000013
【図１３】
0003987215.tif 000014
【図１４】
0003987215.tif 000015
【図１５】
0003987215.tif 000016